(57)【特許請求の範囲】
【請求項１】
被炊飯物を入れる内鍋と、前記内鍋を取り出し可能に収容する内鍋収容部を有する炊飯器本体と、前記内鍋を加熱する加熱手段と、前記内鍋の温度を検出する温度センサと、前記内鍋の温度が選択された炊飯モードにおける所定の温度になるように前記加熱手段を制御する加熱制御手段と、送風ファンと、前記送風ファンからの風を前記加熱手段の配置位置を経由せずに吹き出し可能な前記内鍋収容部の底面もしくは側壁部下部に設けられた送風口と、前記送風ファンの動作を制御する送風ファン制御部とを備え、
前記送風ファンが、前記送風口よりも高い位置に配置され、
前記炊飯モードとして具入り炊飯モードを有し、
前記送風ファン制御部が、前記具入り炊飯モードにおける炊飯工程において前記送風ファンを動作させて、前記内鍋収容部と前記内鍋との間に前記送風ファンからの風を送り込むことを特徴とする炊飯器。
【請求項２】
被炊飯物を入れる内鍋と、前記内鍋を取り出し可能に収容する内鍋収容部を有する炊飯器本体と、前記内鍋を加熱する加熱手段と、前記内鍋の温度を検出する温度センサと、前記内鍋の温度が選択された炊飯モードにおける所定の温度になるように前記加熱手段を制御する加熱制御手段と、送風ファンと、前記送風ファンからの風を前記加熱手段の配置位置を経由せずに吹き出し可能な前記内鍋収容部の底面もしくは側壁部下部に設けられた送風口と、前記送風ファンの動作を制御する送風ファン制御部とを備え、
前記送風口が前記内鍋収容部の中心を中心とする円周上に複数個形成され、
前記炊飯モードとして具入り炊飯モードを有し、
前記送風ファン制御部が、前記具入り炊飯モードにおける炊飯工程において前記送風ファンを動作させて、前記内鍋収容部と前記内鍋との間に前記送風ファンからの風を送り込むことを特徴とする炊飯器。
【発明の詳細な説明】
【技術分野】
【０００１】
本発明は炊飯器に関し、特に、炊き込みご飯などの白米以外の被炊飯物を含んだ具入り炊飯モードを備えた炊飯器に関するものである。
【背景技術】
【０００２】
近年、炊飯器は、内鍋の周囲に配置された温度センサにより検出された内鍋温度に基づいて、加熱手段であるＩＨコイルやヒータへの通電電流をマイクロコンピュータによって制御し、吸水工程、昇温工程、炊き上げ工程（沸騰工程）、むらし工程という炊飯工程それぞれにおいて内鍋の温度を細かく調整することで、炊飯量や環境温度の変化に左右されずにおいしいご飯を炊くことができるようになっている。
【０００３】
また、ユーザの幅広い指向に対応するべく、米とともに豆類や細かく切った野菜、鶏肉などの肉類といったさまざまな具を入れて、五目ご飯や豆ご飯などの炊き込みご飯を炊飯する具入り炊飯モードを備えた炊飯器が人気を集めている。
【０００４】
一般に、白米以外の具入り炊飯モードでは、白米と、白米とはその大きさ、吸水率などが大きく異なる各種の具を同時に炊き上げなくてはならないため、炊飯工程のそれぞれの部分工程において、通常の白米を炊飯する場合とは異なる炊飯制御を行うことが必要となる。
【０００５】
例えば、特許文献１には、白米と付加される各種具材との味付けや食感の違いを際だたせることができる具入り炊飯モードとして、むらし工程において炊飯器の蓋体を一旦開成して、具材を追加することができるようにした炊飯器が記載されている。
【０００６】
また、特許文献２には、具入り炊飯モードにおける炊飯条件が、調味料として醤油を用いる場合と塩を用いる場合とで大きく異なることに着目して、醤油ベースでの具入り炊飯モードにおける加熱出力を、塩ベースでの具入り炊飯モードにおける加熱出力よりも大きくすることが開示されている。
【先行技術文献】
【特許文献】
【０００７】
【特許文献１】特開２００９−０００１８６号公報
【特許文献２】特開２００９−０２２３６２号公報
【発明の概要】
【発明が解決しようとする課題】
【０００８】
しかし、上記特許文献１に記載の技術では、炊飯工程の途中の所定期間に蓋体を開成して具材を投入しなくてはならず、全自動で炊き上げられる白米炊飯と比べてユーザに大きな手間を掛けることになる。
【０００９】
また、特許文献２に記載の方法では、調味料の違いに着目して炊飯モードのベースを異ならせているものの、吸水しにくさや加熱時にいわゆる火が通りにくいと言った、白米以外の具が備える課題を十分に解決しうるものではなかった。
【００１０】
このため、具入り炊飯モードを備えた炊飯器では、調味料による焦げ付きを発生させないように白米炊飯モードよりも投入する火力を小さくせざるを得ず、また、内鍋に混ぜることができる白米以外の具の量に制限を課さなくてはならなかった。
【００１１】
さらに、近年では、炊飯工程中の炊き上げ工程において、噴きこぼれを防止しつつ米のうまみを引き出すことができるように、従来からの金属製ではなく、蓄熱性の高いセラミックスなどの非金属製の材料を用いた内鍋（いわゆる土鍋釜など）が用いられている。しかし、従来、蓄熱性が高いことの裏返しとして熱伝導性が低く、加熱時に内鍋の温度が均一になりにくいという非金属製の内鍋を用いて、良好な具入り炊飯を行うに十分な炊飯条件について検討されたものはなかった。
【００１２】
本発明はこのような従来技術の課題を解決するものであり、具入り炊飯モードにおいて内鍋底部の焦げ付きを抑えつつ十分な火力を投入することができ、豆類や肉類などの大きめの具材や、白米に対する混入比率が高い具材入りの炊飯にも対応することができる炊飯器を得ることを目的とする。
【課題を解決するための手段】
【００１３】
上記課題を解決するため、本発明の炊飯器は、被炊飯物を入れる内鍋と、前記内鍋を取り出し可能に収容する内鍋収容部を有する炊飯器本体と、前記内鍋を加熱する加熱手段と、前記内鍋の温度を検出する温度センサと、前記内鍋の温度が選択された炊飯モードにおける所定の温度になるように前記加熱手段を制御する加熱制御手段と、送風ファンと、前記送風ファンからの風を前記加熱手段の配置位置を経由せずに吹き出し可能な前記内鍋収容部の底面もしくは側壁部下部に設けられた送風口と、前記送風ファンの動作を制御する送風ファン制御部とを備え、前記送風ファンが、前記送風口よりも高い位置に配置され、前記炊飯モードとして具入り炊飯モードを有し、前記送風ファン制御部が、前記具入り炊飯モードにおける炊飯工程において前記送風ファンを動作させて、前記内鍋収容部と前記内鍋との間に前記送風ファンからの風を送り込むことを特徴とする。
【発明の効果】
【００１４】
本発明の炊飯器は、具入り炊飯モードにおいて、送風ファン制御部が送風ファンを動作させ、内鍋収容部と内鍋との間に空気を送り込む。このため、内鍋全体を温度の高い気流で包むことで内鍋下部の温度を抑えつつ内鍋上部の温度を上昇させることができ、大きめの具や大量の具が投入されている具入り炊飯モードにおいても、焦げ付きが生じることがなく、具材に十分に火が通った炊飯工程を実現しうる炊飯器を得ることができる。
【図面の簡単な説明】
【００１５】
【図１】本発明の実施形態にかかる炊飯器の外観を示す斜視図である。
【図２】本発明の実施形態にかかる炊飯器の構成を示す断面図である。
【図３】本発明の実施形態にかかる炊飯器の送風ファンによる気流の流れを説明するイメージ図である。
【図４】本発明の実施形態にかかる炊飯器で、具入り炊飯モードの温度特性を測定した際の測定点を示す図である。図４（ａ）は、温度測定点の平面的な位置を示すための図であり、図４（ｂ）は、温度測定点の高さ方向の位置を示すための図である。
【図５】本発明の実施形態にかかる炊飯器における、具入り炊飯モードでの炊飯工程を説明するための図である。
【図６】内鍋上部の測定点１における温度特性を示す図である。
【図７】内鍋下部の測定点２における温度特性を示す図である。
【図８】本発明の実施形態にかかる炊飯器の、変形例における内鍋の構造を示す側面図である。
【発明を実施するための形態】
【００１６】
本発明の炊飯器は、被炊飯物を入れる内鍋と、前記内鍋を取り出し可能に収容する内鍋収容部を有する炊飯器本体と、前記内鍋を加熱する加熱手段と、前記内鍋の温度を検出する温度センサと、前記内鍋の温度が選択された炊飯モードにおける所定の温度になるように前記加熱手段を制御する加熱制御手段と、送風ファンと、前記内鍋収容部の底面もしくは側壁部下部に設けられた送風口と、前記送風ファンの動作を制御する送風ファン制御部とを備え、前記炊飯モードとして具入り炊飯モードを有し、前記送風ファン制御部が、前記具入り炊飯モードにおける炊飯工程において前記送風ファンを動作させて、前記内鍋収容部と前記内鍋との間に空気を送り込む。
【００１７】
本発明の炊飯器は、上記構成を備えることで、内鍋が送風ファンにより生じた気流に包まれることになり、加熱手段からの熱を、内鍋自体による熱伝導に加えて周囲の気流によっても全体に行き渡らせることができる。このため、温度が高くなりやすい内鍋下部の温度上昇を抑えつつ温度が上がりにくい内鍋上部の温度をより高くすることができるので、焦げ付きの原因となりやすい調味料を含んだ具入り炊飯モードにおいても、内鍋底面での焦げ付きの発生を抑え、大きな具材や多めの具材に十分に火が通った具入り炊飯を実現することができる。また、内鍋全体の温度分布を均一化することができるので、熱伝導性の低い非金属材料製の内鍋を用いた場合でも良好な具入りご飯を炊飯することができる。
【００１８】
上記本発明にかかる炊飯器において、前記送風ファン制御部が、前記具入り炊飯モードにおける昇温工程、炊きあげ工程、および、むらし工程のうちの少なくとも一つの工程において前記送風ファンを動作させ、前記内鍋収容部と前記内鍋との間に空気を送り込むことが好ましい。さらに、前記送風ファン制御部が、前記具入り炊飯モードにおける昇温工程の途中からむらし工程の終了までの間連続して前記送風ファンを動作させ、前記内鍋収容部と前記内鍋との間に空気を送り込むことが好ましい。このようにすることで、内鍋の温度が水の沸騰点である１００℃近辺に保たれる高温炊飯時において、内鍋の温度をより好適に制御することができる。
【００１９】
また、具入り炊飯モードが、五目ご飯モード、豆ご飯モードを含む炊き込みご飯モードであることが好ましい。焦げ付きの原因となる調味料を含み、被炊飯物として多くの具材を含む炊き込みご飯や、大きな具材である豆類を含む豆ご飯を炊飯する場合でも、良好な炊飯工程を実現することができる。
【００２０】
さらに、前記内鍋が非金属材料製であることが好ましい。このようにすることで、非金属製の内鍋の蓄熱性を利用して炊き上げ工程で内鍋温度を高いまま維持しつつ、内部の具材を炊飯できるだけの十分な火力を投入することができ、おいしい具入りご飯を炊飯することができる。
【００２１】
以下、本発明にかかる炊飯器の実施形態として、内鍋が非金属製の土鍋釜であり、内鍋と内鍋収容部との間隙に気流を生じさせることができる送風ファンを備え、炊飯モードとして白米炊飯モードに加えて具入り炊飯モードを有する炊飯器を例示して説明する。
【００２２】
図１は、本実施形態の炊飯器の外観を示す斜視図である。また、図２は、本実施形態の炊飯器の断面構成を示す図である。
【００２３】
本実施形態の炊飯器１００は、図１および図２に示すように、米と水、さらに、具入り炊飯モードでは野菜や豆類、肉類などの各種の具である被炊飯物を入れる内鍋３０と、この内鍋３０を内鍋収容部２０ａに収容することができる炊飯器本体２０とを有している。
【００２４】
図１は、炊飯器本体２０に開閉可能に取り付けられた蓋体１０が閉じた状態を示している。
【００２５】
蓋体１０には、ユーザが炊飯器１００に各種設定を与えるためのスイッチ１１と、スイッチ１１による操作状況や炊飯器１００の動作状態等を表示するための液晶表示部１２が配置されている。スイッチ１１は、炊飯スイッチ、保温スイッチ、白米炊飯モードと各種の具入り炊飯モードと含む各種炊飯メニューを設定するメニュースイッチ、時間を設定するタイマースイッチ等を含む。
【００２６】
また、蓋体１０には調圧キャップ１３が設けられ、調圧キャップ１３内部のボール状の逆止弁１４（図２参照）が、蓋体１０が閉じた状態で逆止弁１４の弁圧を超えたときだけ蒸気を蓋体１０外に放出しながら、気液分離した「おねば」を一旦ため込んだ後に内鍋３０内に戻すようになっている。
【００２７】
炊飯器本体２０の手前側の側面には、ロックボタン２１が設けられ、蓋体１０が閉じている状態でロックボタン２１を押し込むと、蓋体１０のロックが外れ、図示しないバネ機構により蓋体１０全体が図１における後方（奥）側に開くようになっている。
【００２８】
また、炊飯器本体２０の後方には、炊飯器１００全体を持ち運び可能とするハンドル２２が設けられている。
【００２９】
図２に示すように、蓋体１０内部の液晶表示部１２の下部に位置する部分に、図２では図示を省略した各種スイッチ１１の動作回路と、液晶表示部１２での表示画像を出力する液晶部駆動回路などが含まれた回路部１５が設けられている。また、本実施形態の炊飯器１００において、ユーザにより設定された炊飯モードに従って炊飯プログラムの制御を行う制御回路が搭載された図示しないマイコンも、回路部１５を構成する回路基板上に搭載されている。本実施形態の炊飯器１００では、回路部１５に配置されたマイコンに含まれた制御回路に、加熱手段２５（２５ａ、２５ｂ、２５ｃ）への通電を制御する加熱制御手段、後述する送風ファン２３の動作を制御する送風ファン制御部も含まれている。
【００３０】
なお、本実施形態の炊飯器１００において、加熱制御手段と送風ファン制御部とを含んだ制御回路が搭載されたマイコンが、液晶表示部１２の下部に配置されていることは一例に過ぎない。加熱制御手段と送風ファン制御部とが、それぞれ別々の回路基板上に搭載されている場合もあり、また、加熱制御手段と送風ファン制御部とが、蓋体１０内の液晶表示部１２から離れた、例えば炊飯器本体２０内に配置される場合もある。
【００３１】
本実施形態の炊飯器１００では、内鍋３０の温度を検出する温度センサの一つである蓋体センサ１６が、内鍋３０が内鍋収容部２０ａ内に収納されたときにその上方に位置するように蓋体１０の裏面に配置されていて、炊飯時の内鍋３０上方の蒸気の温度を測定することができる。この蓋体センサ１６や後述するセンターセンサ２６など、本実施形態の炊飯器１００に用いられる各温度センサは、例えばサーミスタに代表される熱的電気素子を用いて構成される従来周知の温度センサを、そのまま用いることができる。
【００３２】
蓋体１０は、炊飯器本体２０のヒンジ機構２７により開閉可能となっている。そして、蓋体１０が閉じられたとき、ロックボタン２１に連動する図２では明示しないロック機構により、蓋体１０が炊飯器本体２０の上面にしっかりと押しつけられた状態で固定される。蓋体１０と炊飯器本体２０とがしっかりと押さえつけられて固定されることで、蓋体１０の図示しないシールパッキンが炊飯器本体２０の内鍋収容部２０ａの口縁部に上方から圧接されて内鍋３０を収めた内鍋収容部２０ａの空間を密閉し、炊飯や保温を行う状態となる。
【００３３】
本実施形態の炊飯器１００の炊飯器本体２０の内部には、一対の送風ファン２３が配置されている。送風ファン２３は、蓋体１０の回路基板１５に搭載されたマイコン内部の送風ファン制御部からの信号に応じて、回転（オン）停止（オフ）、および必要に応じて、正転と反転の動作が制御される。
【００３４】
本実施形態の炊飯器１００において、送風ファン２３は、炊飯器１００を正面側であるロックボタン２１側から見た場合の後方側の左右に２つ配置されている。図２では、２つの送風ファン２３の内の、図２における手前側の一方のみが表されている。送風ファン２３は、図示しない吸入口から吸入された空気を、内鍋収容部２０ａの側壁部下側に設けられた送風口２４から内鍋収容部２０ａ内の内鍋３０との間隙部分に吹き出す。本実施形態の炊飯器１００では、送風口２４は、内鍋収容部２０ａの中心に対してそれぞれ６０度の間隔を隔てて合計６つの送風口２４が設けられている。
【００３５】
炊飯器本体２０の内鍋収容部２０ａの周囲には、加熱手段２５としての第１のワークコイル２５ａ、第２のワークコイル２５ｂ、加熱ヒータ２５ｃが設けられている。
【００３６】
第１のワークコイル２５ａは、内鍋３０の底面に面して内鍋収容部２０ａの底面に配置されている。内鍋収容部２０ａの底面中央には、内鍋３０の底面の温度を検出する温度センサであるセンターセンサ２６が配置されているため、第１のワークコイル２５ａは、平面視すると中央に穴の開いた円環（ドーナツ）状になっている。
【００３７】
第２のワークコイル２５ｂは、内鍋３０の底面と側面との境界に位置する傾斜部分に対向するように配置されている。第２のワークコイル２５ｂも第１のワークコイル２５ａと同様に円環状となっている。
【００３８】
これら第１のワークコイル２５ａ、第２のワークコイル２５ｂに流れる電流により渦電流が生じるように、本実施形態の炊飯器１００の内鍋３０では、非金属製の内鍋本体の内面側にステンレスもしくは銀などの金属薄膜がコーティングもしくは金属箔を転写するなどして形成されている。そして、第１のワークコイル２５ａ、第２のワークコイル２５ｂに電流が流れることで金属薄膜が発熱し、この発熱が土鍋釜全体の温度を上昇させる。
【００３９】
内鍋３０の側面に対向する内鍋収容部２０ａの側壁には、側面ヒータ２５ｃが配置されている。この側面ヒータ２５ｃに電流が流れることにより発熱して、炊飯後のジャー機能時に内鍋３０を保温するともに、炊飯時にも第１のワークコイル２５ａ、第２のワークコイル２５ｂとともに、内鍋３０を加熱することができる。
【００４０】
本実施形態の炊飯器１００では、これら第１のワークコイル２５ａ、第２のワークコイル２５ｂ、側面ヒータ２５ｃが加熱手段２５を構成しており、蓋体１０の回路部１５のマイコンに搭載された加熱制御手段により、それぞれに流れる電流量が制御されることで、加熱手段のオンとオフ、また、オンの場合の発熱量の制御が行われる。なお、加熱手段２５として、上記の第１のワークコイル２５ａ、第２のワークコイル２５ｂ、側面ヒータ２５ｃの他にも、内鍋収容部２０ａの周囲の他の部分や蓋体１０の内部にコイルやヒータなどを配置することも可能である。
【００４１】
炊飯器本体２０の背面における上部には、ヒンジ機構２７が設けられていて、蓋体１０が内鍋収容部２０ａを覆った状態から開閉することができる。
【００４２】
ヒンジ機構２７の下部には、炊飯器１００に電力を供給するために、商用電源に接続される電源プラグ２８に接続された電源コードを収納するコードリールが配置されている。
【００４３】
なお、本実施形態の炊飯器１００の全体の形状や、各部の具体的な構成や配置としては、上記、図１および図２に例示した構成と異なるさまざまな構成を採用することができる。
【００４４】
ここで、図３を用いて、送風ファン２３を動作させたときの内鍋収容部２０ａと内鍋３０との間隙部分の空気の流れについて説明する。
【００４５】
図３に示すように、図３では図示しない送風ファン２３が動作することで、炊飯器本体２０の内鍋収容部２０ａの側壁部下側に設けられた送風口２４から送り込まれた空気が、気流２９を形成する。例えば、図３に示すように、気流２９の吹き出し方向を真上ではなく斜め左上の方向に向けることで、内鍋収容部２０ａの側壁と内鍋３０との間の間隙部分に時計回りに循環する空気の流れを作ることができる。
【００４６】
本実施形態の炊飯器１００では、加熱手段２５である、第１のワークコイル２５ａが内鍋３０の底面に対向して内鍋収容部２０ａの底面に配置されており、また、第２のワークコイル２５ｂも、内鍋３０の底面と側面との境界部分に対向して設けられているため、第１のワークコイル２５ａと第２のワークコイル２５ｂとによって、内鍋３０の下部の温度が上昇しやすい。また、側面ヒータ２５ｃも、内鍋３０側面の上下方向における中央部分に対向して配置されているため、内鍋３０自体の温度、および内鍋３０の周囲の空気の温度は、内鍋３０の下側部分が上側の部分と比較してより高くなりやすい。一方で、内鍋３０の上端に形成されたフランジ部は、炊飯時に加熱される被炊飯物の噴きこぼれが生じないように、蓋体１０と炊飯器本体２０とで覆われていて、このフランジ部を加熱手段で直接暖めることは困難であり、内鍋３０の上部側の温度は他の部分に比べて高くなりにくい。
【００４７】
このため、本実施形態の炊飯器１００では、送風口２４を内鍋収容部２０ａの側壁部下側に設けることにより、送風口２４から吹き出された気流２９を、全体として内鍋３０の外表面を下から上方向に向かわせることで、内鍋３０の下部の周囲に位置する高い温度の空気を、内鍋３０上方のフランジ部およびその近傍部分に向かわせて内鍋３０の全体の温度を上昇させることができるようになっている。
【００４８】
なお、本実施形態の炊飯器１００では、炊飯器１００を正面から見た場合の左右後方に備えた２つの送風ファン２３を、３０秒ごとに交互に動作させることで交互に逆向きの気流を内鍋収容部２０ａと内鍋３０との間の間隙に生じさせている。しかし、本発明にかかる炊飯器において、送風ファンの数やその動作の制御方法、送風口の数およびその配置位置は例示したものに限られない。送風ファンは、１つまたは３つ以上設けることができ、複数の送風ファンを交互に動作させるのではなく、複数の送風ファンを同時に動作させて、より強い気流を起こすこともできる。また、送風口２４は、内鍋収容部２０ａの側壁部下側に限らず、内鍋収容部２０ａの底面に設けることもできる。ただし、前述したように、加熱手段２５の配置位置の関係から内鍋３０の下部周辺の温度がより高くなるため、送風ファン２３により生じる気流が下から上に向かうことがより好ましく、内鍋３０の周囲を環状に取り囲む気流を生じさせることが、内鍋３０全体の温度を均一に上昇させる上でさらに好ましい。
【００４９】
以下、本実施形態にかかる炊飯器１００における具入り炊飯モードの内鍋温度の設定条件と、実際に炊飯を行ったときの温度変化を示す。
【００５０】
まず、図４を用いて、本実施形態の炊飯器１００の温度測定を行った測定点について説明する。
【００５１】
図４（ａ）は、内鍋の温度測定点の平面的な位置を示すための図であり、炊飯器本体部２０の内鍋収容部２０ａ内に内鍋３０を配置した状態を、炊飯器本体２０の上方から見た図である。なお、温度測定点を明瞭に示すために、蓋体１０は図示を省略している。
【００５２】
図４（ａ）に示すように、平面方向の測定場所Ａは、送風ファン２３により循環される気流の送風口２４が配置されている部分に相当する内鍋３０の部分に位置し、測定場所Ｂは、６０度おきに配置された送風口２４の中間部分に相当する内鍋３０の部分に位置している。
【００５３】
また、図４（ｂ）は、内鍋の温度測定点の高さ方向の位置を示すための図である。
【００５４】
図４（ｂ）に示すように、内鍋３０の上部の温度を測定する測定点１は、内鍋３０の上端部であるフランジ部近傍部分に位置し、測定点２が内鍋３０の下部である、底面部と側面部との境界に設けられた傾斜部分に位置している。この測定点２は、図２に示した第２のワークコイル２５ｂに対向する部分でもある。また、測定点３は、内鍋３０底部の中央部分であり、図２に示したセンターセンサ２６により温度が計測される部分を示している。
【００５５】
図５は、本実施形態にかかる炊飯器１００の、具入り炊飯モードにおける炊飯工程全体の内鍋３０の温度変化を示す温度チャートである。
【００５６】
図５において、内鍋３０の上部である図４（ｂ）に示した測定点１の温度変化を実線４１で、内鍋３０の下部である図４（ｂ）に示した測定点２の温度変化を点線４２で、さらに、内鍋３０の底面の中央部分である図４（ｂ）に示した測定点３の温度変化を一点鎖線４３で表している。なお、図５における各測定点の温度の平面的な測定位置は、図４（ａ）に測定位置Ｂとして示した、送風口２４の間の部分の温度を測定している。
【００５７】
また、炊飯工程において、加熱制御手段によって加熱手段２５に電力が投入されたタイミングとその大きさを下段の網掛部４４として示している。さらに、送風ファン制御部が送風ファン２３を動作させているタイミングを、図最下段に送風「ＯＮ」として示している。
【００５８】
図５に示すように、本実施形態の炊飯器１００における具入り炊飯モード開示時の内鍋３０の温度は、室温２０℃である。吸水工程において、加熱手段２５により内鍋３０が加熱されるが、本実施形態の炊飯器１００に用いられている内鍋３０は、熱伝導性が低いために大きなオーバーシュートが生じやすく被炊飯物の吸水ムラが生じやすい非金属製の土鍋釜であることを考慮して、吸水工程での内鍋３０の温度は低めの３０℃に抑えられている。
【００５９】
次に、昇温工程１において、加熱制御手段による加熱手段２５への投入電力が最大となり、内鍋３０の温度は、一気に水の沸騰温度である１００℃を越えるところまで引き上げられる。内鍋３０の上部の測定点１での温度４１が約１００℃となったことを目安として、昇温工程１から昇温工程２に移行し、ここで、送風ファン制御部が送風ファン２３を動作させる。なお、本実施形態の炊飯器１００では、前述したように、３０秒ごとに２つの送風ファン２３を交互に動作させて、内鍋３０の周囲を取り囲む気流を生成する。
【００６０】
その後、内鍋３０内の水分を完全に蒸発させる炊き上げ工程１、炊き上げ工程２に移行する。炊き上げ工程１、炊き上げ工程２では、加熱手段２５により投入される火力が少し抑えられ、水分の蒸発度合いを調整している。送風ファン２３は、動作を続けている。
【００６１】
内鍋３０の下部である、測定点２の温度４２が約１００℃に到達したことを目安に、追い炊き工程に移行する。追い炊き工程では、加熱手段２５は間欠的にオンされるため、第１のワークコイル２５ａに近い、内鍋３０の底部である測定点３の温度４３は、加熱手段２５のオンオフに連動する形でその温度が上下する。しかし、内鍋３０として、蓄熱性の高い土鍋釜を用いているために、内鍋３０の上部の測定点１の温度４１、内鍋３０の下部の測定点２の温度４２は、いずれも１００℃以上に安定して維持されている。
【００６２】
その後のむらし工程では加熱手段２５はオフされていて、内鍋３０底部の測定点３の温度４３は低くなる。所定時間経過後にむらし工程が終了して炊飯工程全体が終了し、以降は保温工程となる。炊飯工程が終了すると送風ファン２３の動作が停止する。
【００６３】
次に、図６および図７を用いて、図５を用いて説明した、本実施形態の炊飯器１００における炊飯プログラムによる、炊飯工程の効果を説明する。
【００６４】
図６、および図７は、本実施形態にかかる炊飯器１００の炊飯工程における送風ファン２３の動作の有無による内鍋３０の温度の変化を示すものである。なお、図６、図７は、いずれも炊飯工程の内の送風ファン２３が動作している時間、すなわち、昇温工程の途中である昇温工程２から、炊飯工程が終了するむらし工程終了までの間、時間にして炊飯開始から２４分経過後から５６分経過時までに相当する期間のみを示している。
【００６５】
図６は、図４（ｂ）に示した測定点１である、フランジ部近傍の内鍋３０の上部での温度を示している。
【００６６】
図６において、実線５１が、送風ファン２３が動作している本実施形態の炊飯器１００の内鍋３０の、図４（ａ）に示した測定位置Ａである送風口２４が配置されている部分の温度を示す。また、点線５２が、同じく送風ファン２３が動作している本実施形態の炊飯器の内鍋３０の、図４（ａ）に示した測定位置Ｂである送風口２４の間の部分の温度を示している。
【００６７】
一方、図６において一点鎖線６１が、比較例として送風ファン２３を動作させなかった場合の、測定位置Ａの温度を示す。また、二点鎖線６２が、送風ファンを動作させなかった比較例の測定位置Ｂの温度を示す。すなわち、比較例の内鍋の温度６１が本実施形態の内鍋の温度５１に対応し、比較例の内鍋の温度６２が本実施形態の内鍋の温度５２に対応している。
【００６８】
一方、図７は、図４（ｂ）に示した測定点２である、内鍋３０の下部の温度変化を示している。
【００６９】
図７において、実線５３が、送風ファン２３が動作している本実施形態の炊飯器１００の内鍋３０の測定位置Ａの温度を示す。また、点線５４が、同じく送風ファン２３が動作している本実施形態の炊飯器１００の内鍋３０の測定位置Ｂの温度を示している。また、図７において一点鎖線６３が、比較例として送風ファン２３を動作させなかった場合の測定位置Ａの温度を示し、二点鎖線６４が、送風ファンを動作させなかった比較例の測定位置Ｂの温度を示している。図７において、比較例の内鍋の温度６３が本実施形態の内鍋の温度５３に対応し、比較例の内鍋の温度６４が本実施形態の内鍋の温度５４に対応している。
【００７０】
図６に示した内鍋３０の上部の温度は、測定位置Ａ、測定位置Ｂのいずれにおいても、送風ファン２３が動作している本実施形態の炊飯器１００の温度５１、５２の方が、送風ファン２３が動作していない比較例の炊飯器の温度６１、６２よりも高くなっている。一方、図７に示した内鍋３０の下部の温度は、測定位置Ａ、測定位置Ｂのいずれにおいても、送風ファン２３が動作している本実施形態の炊飯器１００の温度５３、５４の方が、送風ファン２３が動作していない比較例の温度６３、６４よりも低くなっている。このことから、本実施形態の炊飯器１００では、昇温工程の途中からむらし工程にかけて送風ファン２３を動作させることにより生じた内鍋３０を包む気流によって、第１のワークコイル２５ａ、および、第２のワークコイル２５ｂに面している内鍋３０の下部の熱が、フランジ部近傍である内鍋３０の上部に伝達されていることがわかる。
【００７１】
また、送風ファン２３が動作している本実施形態の炊飯器１００の内鍋３０では、図６に示す上部の温度５１、５２、図７に示す下部の温度５３、５４がいずれも１００℃から１０５℃の範囲に収まっていて、その温度差が極めて小さい。これに対し、送風ファン２３を動作させていない比較例の内鍋では、図６に示す上部の温度６１、６２はほぼ１００℃となっているが、図７に示す底部の温度６３、６４はいずれも１０５℃以上となっている。このことから、本実施形態の炊飯器１００の内鍋３０では、送風ファン２３により生じる気流によって、内鍋３０全体の温度部分布をより均一化する効果が得られていることがわかる。
【００７２】
このように、本実施形態の炊飯器１００では、昇温工程の途中からむらし工程において、内鍋収容部２０ａと内鍋３０との間隙の空気を循環させる送風ファン２３を動作させることによって、ワークコイル（２５ａ、２５ｂ）に面している部分であるために温度が上昇しやすい内鍋３０の下部の温度上昇を抑えることができる。このため、被炊飯物として調味料を含むために焦げ付きやすい、炊き込みご飯などの具入りご飯の炊飯時でも、内鍋３０の特に底部での焦げ付きの発生を効果的に低減することができる。この結果、本実施形態の炊飯器１００では、送風ファン２３による空気の送り込みを行わない比較例の炊飯器と比べて、昇温工程から炊き上げ工程にかけての高温炊飯工程時に加熱手段２５に投入できる電力量を最大５倍にまで増やすことができた。なお、ここでの投入電力量とは、加熱手段２５のオン／オフ時間のデューティー比と加熱手段に流される電流量で定まる電力量である。このように、本実施形態の炊飯器１００は、炊き込みご飯モードにおいても白米炊飯モードに近い大きな電力を投入することで、おいしいお米が炊き上げられた炊き込みご飯を炊飯することができる。
【００７３】
また、本実施形態の炊飯器１００では、送風ファン２３により生じる内鍋収容部２０ａと内鍋３０との間隙に生じる気流によって、昇温工程の途中からむらし工程におけるフランジ部近傍である内鍋３０の上部の温度をより上昇させることができるので、具入り炊飯モードでの炊飯時に、センサの誤作動を防ぐために白米の上にのせられる豆類や肉類などの、大きくまた水を吸いにくい具に対して、十分な熱を与えることができる。このため、従来は具入り炊飯を行うときに設けられていた具材の投入量の制限を大幅に緩和して、白米に対してより多くの具を被炊飯物として投入することができるようになる。例えば、本実施形態の場合の炊飯器１００であれば、送風ファン２３を動作させない比較例では、米一合に対して７０グラムであった具材の投入量の制限値が、１８０グラム程度とすることができ、同じ量の白米に対する具材の投入量を約２．５倍に増やすことができた。このため、より具の多い具入りご飯を炊飯することができるとともに、栗ご飯などより大きな具を用いた具入りご飯を炊飯することができるようになる。
【００７４】
また、本実施形態の炊飯器１００では、内鍋３０の上部の温度を高くすることができるために白米の上に載せられた各種具材の直下に位置することになる白米にも、十分な熱を与えることができる。このため、従来の炊飯器では、例えば鶏肉の直下に位置していた白米に鶏肉から出た脂分が影響して十分に温度が上昇せず、その部分での白米に炊きムラが生じていたのと比較して、本発明の炊飯器１００では、具材の直下の米を含めて炊きムラのないおいしい炊き込みご飯を炊飯することができる。
【００７５】
さらに、本実施形態の炊飯器では、送風ファン２３により内鍋収容部２０ａと内鍋３０との間隙に生じる気流によって、内鍋３０全体の温度分布をより均一化することができる。このため、炊き込みご飯などの具入りご飯の炊飯モードにおいても、内鍋内部の被炊飯物全体に十分に熱が行き渡り、炊きむらの少ないおいしいご飯を炊くことができる。また、内鍋全体の温度をより均一化した状態で、炊飯工程で投入される火力を多くすることができるので、送風ファン２３による空気の送り込みを行わない比較例の炊飯器と比べて、内鍋内に添加可能な調味料の量も２倍以上に増やすことができた。このため、電気炊飯器によって炊飯された炊き込みご飯が薄味であるという、従来からの課題を解消することができた。
【００７６】
なお、上記実施形態では、送風ファンを、昇温工程の途中からむらし工程までの間連続的に動作させる例について説明した。しかし、本実施の形態にかかる炊飯器１００において、昇温工程からむらし工程に渡って連続的に送風ファン２３を動作させることは必須の要件ではなく、昇温工程以前の吸水工程から、むらし工程までの間の適切な期間で送風ファン２３を動作させることができる。例えば、炊きあげ工程のみ、または、昇温工程から炊きあげ工程までなど、１または２以上の工程において送風ファンを動作させることができる。さらに、昇温工程、炊きあげ工程、むらし工程をそれぞれいくつかのより細かい部分工程に分けて、これらの部分工程のいくつかにおいて送風ファンを動作させることもできる。
【００７７】
図８は、本実施形態の炊飯器に用いることができる。内鍋の変形例の形状を示す側面図である。
【００７８】
図８に示す、変形例の内鍋３１は、内鍋３１の外側表面の上下方向中間部分に、筋状の溝３２が形成されている。このように、内鍋３１の外側表面に溝３２を設けることで、送風ファンを動作したときに熱せられた空気と内鍋３１との接触面積が増える。このため、コイルにより熱せられた内鍋や、ヒータによって暖められた空気が内鍋収容部２０ａと内鍋２０との間隙で気流となって移動する際に、内鍋３１の表面を暖める効果を向上させることができ、送風ファン動作時における内鍋の温度を均一化する効果を、より一層向上させることができる。
【００７９】
なお、内鍋の表面積を増すことにより、内鍋周囲に生成された気流による温度上昇の効果を高めることができると考えられるので、図８に示したように溝を形成する以外に、内鍋の周囲に畝状の凸部を形成しても同じ効果が期待できる。また、図８に示す、変形例の内鍋３１では、溝３２を斜め方向に形成しているが、溝３２の角度や長さ、内鍋３１における配置位置は図８に示したものに限られず、内鍋周辺に生じさせる気流の強さや方向などに応じて、適宜選択することができる。
【００８０】
以上、本発明の炊飯器について、内鍋として非金属製の土鍋釜を用いた場合を例示して説明した。しかし、本発明の炊飯器の内鍋には、非金属製のセラミックスを主成分とする土鍋釜に限られず、ステンレスや銅などの金属材料を主体とする金属釜を用いることができる。
【００８１】
さらに、上記の説明では、具入り炊飯モードの例として、炊き込みご飯や豆ご飯、栗ご飯、などを例示して説明したが、他にも、白米のみの炊飯モードではない玄米や他の穀物を用いた、玄米ご飯や雑穀ご飯など、被炊飯物として白米のみを用いる通常の炊飯モード以外の炊飯モードを具入り炊飯モードとして、本発明を実施することができる。
【産業上の利用可能性】
【００８２】
本発明の炊飯器によれば、具入り炊飯モードにおいて、調味料による鍋底部の焦げ付きを押さえつつ従来よりも多い具を被炊飯物として炊飯できるので、ユーザの多様なニーズに応えた各種の炊飯モードを実現することができる炊飯器として有用である。
【符号の説明】
【００８３】
２０    炊飯器本体
２０ａ  内鍋収容部
２３    送風ファン
２４    送風口
２５    加熱手段
２６    センターセンサ（温度センサ）
３０    内鍋
【図１】
0005903775.tif 000002
【図２】
0005903775.tif 000003
【図３】
0005903775.tif 000004
【図４】
0005903775.tif 000005
【図５】
0005903775.tif 000006
【図６】
0005903775.tif 000007
【図７】
0005903775.tif 000008
【図８】
0005903775.tif 000009